(57)【要約】  本開示は、下方ベッセル首部(16)を有する下方ベッセル(12)と、下方ベッセル首部(16)に付着させられ、内部で液体を保持するように大きさおよび形が決定される上方ベッセル(22)と、上方ベッセル(22)に付着させられる取り外し可能な蓋(40)、上方ベッセル(22)の内部と下方ベッセル(12)の内部との間の液密障壁として供するベッセルシール(42)と、一端においてベッセルシール(42)に付着させられ、他端において取り外し可能な蓋(40)に付着させられるテザー(44)とを備える飲料容器(10)に関する。取り外し可能な蓋(40)は、捩じられるかまたは取り外されるとき、テザー(44)を引き寄せ、テザー(44)はベッセルシール(42)を引っ張って解放し、それによって上方ベッセル(22)の内部からの液体を下方ベッセル(12)の内部へと入らせる。
2020511376.tif 000002
【特許請求の範囲】
【請求項１】
下端、前記下端から遠位の上端、および、前記上端から前記下端へと延びるベッセル壁を備えるベッセルであって、前記上端、前記下端、および前記ベッセル壁は前記ベッセルの内部容積を定めるベッセルと、
前記ベッセルの前記上端に固定される蓋と、
前記ベッセル壁に取り外し可能に固定されるシールであって、前記ベッセル壁に固定されるときに前記内部容積に及ぶように、および、前記内部容積を上方部分と下方部分とに分離するように大きさおよび位置が決定され、前記蓋に固定されるテザーを備えるシールと、
を備え、
前記蓋、前記シール、および前記テザーは、前記蓋が前記ベッセルの前記上端において閉位置にあるときに前記シールを前記ベッセル壁に固定させたままにし、前記蓋が使用位置へと移動させられるときに前記シールを前記ベッセル壁から少なくとも部分的に分離させるように構成された、容器。
【請求項２】
前記内部容積の前記上方部分に位置付けられる第１の材料と、
前記内部容積の前記下方部分に位置付けられる第２の材料と、
をさらに備え、前記第２の材料は、前記第１の材料の組成とは異なる組成のものである、請求項１に記載の容器。
【請求項３】
前記蓋は、前記閉位置および前記使用位置において前記ベッセルに対して異なる回転位置になる、請求項１に記載の容器。
【請求項４】
前記ベッセルの前記上端は、前記蓋が前記閉位置にあるときに前記蓋によって覆われ、前記蓋が前記使用位置にあるときに開いている、請求項１に記載の容器。
【請求項５】
前記ベッセルは、前記上端に近接して位置付けられる上方ベッセルと、前記下端に近接して位置付けられる下方ベッセルとを備え、前記上方ベッセルは、前記内部容積の前記上方部分を定める前記ベッセル壁の一部分から形成される上方ベッセル壁を備え、前記下方ベッセルは、前記内部容積の前記下方部分を定める前記ベッセル壁の一部分から形成される下方ベッセル壁を備え、前記上方ベッセルは前記下方ベッセルに取り外し可能に結合される、請求項１に記載の容器。
【請求項６】
前記シールは前記上方ベッセル内に位置付けられる、請求項５に記載の容器。
【請求項７】
前記上方ベッセルは、前記上方ベッセル壁から内向きに延びる封止リップを備え、前記シールは、前記封止リップに付着するように構成される、請求項６に記載の容器。
【請求項８】
前記テザーは、第１の端と、前記第１の端から遠位の第２の端とを有し、前記第１の端は前記シールに付着させられ、前記第２の端は前記蓋に付着させられる、請求項１に記載の容器。
【請求項９】
前記蓋は蓋スロットを備え、前記テザーの前記第２の端は前記蓋スロットに通される、請求項８に記載の容器。
【請求項１０】
前記テザーは摩擦嵌めを介して前記蓋に固定される、請求項９に記載の容器。
【請求項１１】
前記摩擦嵌めは、前記蓋スロットに近接する締め付け凹部内に嵌まる二部品締め付けシステムによって提供される、請求項１０に記載の容器。
【請求項１２】
前記摩擦嵌めは、前記蓋スロットに近接する楔凹部内に嵌まる楔によって提供される、請求項１０に記載の容器。
【請求項１３】
閉じた端、前記閉じた端と反対の開いた端、および、前記閉じた端から前記開いた端へと延びる外壁を有し、内部容積を定める基部、ならびに、
前記基部の前記開いた端から、液体が前記基部に入り得るのに通る下方ベッセル開口を定める環状隆条部まで延びる首部
を備える下方ベッセルと、
下端、前記下端の反対の上端、前記下端から前記上端へと延びる内面、および、前記内面からリップ縁まで径方向内向きに延びる封止リップを備える上方ベッセルであって、前記内面および前記封止リップは、前記上端と前記封止リップとの間に前記上方ベッセルの内部容積を定め、前記上方ベッセルは、前記下方ベッセルの首部を受け入れるように大きさおよび形が決定される、上方ベッセルと、
前記上方ベッセルの前記封止リップに付着させられるベッセルシールであって、液体が前記上方ベッセルの内部から前記下方ベッセルまで進むのを防ぐ液密障壁を形成するように大きさおよび形が決定されるベッセルシールと、
第１の端および第２の端を有するテザーであって、前記テザーの前記第１の端は前記ベッセルシールに連結され、前記テザーの前記第２の端は前記上方ベッセルの前記上端に連結され、前記テザーは、上向きの力が前記テザーに加えられるとき、前記ベッセルシールを前記封止リップから離すように引っ張るように大きさおよび形が決定される、テザーと、
を備え、
前記ベッセルシールを前記封止リップから離すように引っ張ることは、液体を前記上方ベッセルの前記内部容積から前記下方ベッセルの内側へと進ませる、飲料容器。
【請求項１４】
前記上方ベッセルの前記上端に付着させられる蓋をさらに備え、前記蓋は、前記テザーの前記第２の端を前記蓋に付着するための手段を備える、請求項１３に記載の容器。
【請求項１５】
前記上方ベッセルは鉛直軸を含み、前記蓋が前記上方ベッセルの前記鉛直軸の周りで回転させられるとき、前記蓋が前記ベッセルシールを、前記テザーを介して前記封止リップから離すように引っ張るように構成された、請求項１４に記載の容器。
【請求項１６】
容器の別々のベッセルに収容される２つの物質を組み合わせる方法であって、
障壁によって上方部分と下方部分とに分離される内部容積を有する容器を提供するステップであって、第１の物質が前記上方部分に位置付けられ、第２の物質が前記下方部分に位置付けられる、ステップと、
前記容器に付着させられるとともに前記障壁につなぎ留められる蓋を操作することで前記障壁を取り外すステップであって、それによって前記第１の物質を前記第２の物質と接触させることになる、ステップと、
を含む方法。
【請求項１７】
前記障壁は、前記障壁から前記容器の前記上方部分を通じて前記蓋まで延びる、付着させられたテザーを備え、前記障壁を取り外すステップは、前記テザーを前記容器の前記下方部分から離すように引っ張ることを含む、請求項１６に記載の方法。
【請求項１８】
前記障壁を取り外すステップは、前記蓋を前記容器から分離することなく前記蓋を前記容器の前記上方部分に対して回転させることを含む、請求項１７に記載の方法。
【請求項１９】
前記障壁は、前記容器の前記上方部分に解放可能に付着させられる液密シールである、請求項１６に記載の方法。
【請求項２０】
前記第１の物質は、前記第２の物質の組成とは異なる組成を有する、請求項１６に記載の方法。
【発明の詳細な説明】
【技術分野】
【０００１】
開示されている実施形態は、容器および混合器に関し、より詳細には、別々の2つの物質を保持するための取り外し可能な障壁によって分離された2つの区画室を有する容器と、一方の物質を他方の物質へと導入させるために障壁を取り外すための機構とに関する。
【背景技術】
【０００２】
「爆弾」の種類のアルコール飲料は、少量の酒またはリキュールを保持する小さいカップまたはグラス(「ショット」としばしば呼ばれる)が、ビールまたはソフトドリンクなどのより多くの量の液体を保持するより大きいカップまたはグラスへと投下され、そして、2つの液体の混合物が完全に混ぜ合わされる前に消費される飲料である。このような飲料は、特には若い成人たちの間で、米国において人気のある夜の遊びおよび娯楽における飲み物となっている。
【０００３】
爆弾飲料のために典型的に使用されるガラス製品の量は、相当である。ほとんどのこのような飲料は、大量の液体を保持するためのパイントグラスと、少量の液体を保持するためのショットグラスとを使用して作り出され、このようなガラスは重くて脆く、家または商業施設の外での使用に適していない。さらに、カップおよびグラスなどの大きな口を伴う入れ物は、小さい入れ物が大量の液体へと投下されるときに跳ね上げを生じさせる可能性があり、これによってこぼれることになる。
【発明の概要】
【課題を解決するための手段】
【０００４】
前述の背景を考慮して、2つの区画室の容器が提供される。容器は、下端と、上端と、上端から下端へと延びるベッセル壁とを備えるベッセルを備える。上端、下端、およびベッセル壁はベッセルの内部容積を定める。
【０００５】
容器は、ベッセルの上端に固定される蓋と、ベッセル壁に取り外し可能に固定されるシールと、一端において蓋に固定され、反対の端においてシールに固定されるテザーとをも備える。シールは、ベッセル壁に固定されるときにベッセルの内部容積に及ぶように、および、内部容積を上方部分と下方部分とに分離するように大きさおよび位置が決定される。蓋、シール、およびテザーは、蓋がベッセルの上端において閉位置にあるときにシールをベッセル壁に固定させたままにし、蓋が使用位置へと移動させられるときにシールをベッセル壁から少なくとも部分的に分離させるように構成される。
【０００６】
一実施形態では、容器は、下方ベッセル基部と下方ベッセル首部とを有する下方ベッセルを備える飲料容器であり、下方ベッセル基部は、液体を保持するように大きさおよび形が決定され、下方ベッセル首部は、液体が下方ベッセル基部に入り得るのに通る下方ベッセル開口を定める環状隆条部を有する。飲料容器は、下端と、上端と、下端から上端へと延びる外面と、下端から上端へと延びる、外面と反対の内面と、下端に近接して位置付けられ、内面からリップ縁まで径方向内向きに延びる封止リップとを有する上方ベッセルも備える。内面および封止リップは、上端と封止リップとの間に上方ベッセルの内部を定め、上方ベッセルの下端は、下方ベッセル首部の環状隆条部が封止リップに当接するように下方ベッセル首部を受け入れるように大きさおよび形が決定される。
【０００７】
一実施形態では、飲料容器は、上方ベッセルの上端に付着させられる取り外し可能な蓋と、上方ベッセルの封止リップに付着させられるベッセルシールと、第1の端および第2の端を有するテザーとをさらに備え、テザーの第1の端はベッセルシールに連結され、テザーの第2の端は取り外し可能な蓋に連結される。ベッセルシールは、液体が上方ベッセルの内部から下方ベッセルまで進むのを防ぐ液密障壁を形成するように大きさおよび形が決定され、テザーは、取り外し可能な蓋が、上方ベッセルの上端の周りで回転させられるとき、または、上方ベッセルの上端から取り外されるとき、ベッセルシールを封止リップから離すように引っ張るように大きさおよび形が決定される。この点において、ベッセルシールを封止リップから離すように引っ張ることは、液体を上方ベッセルの内部から下方ベッセルの内側へと進ませる。
【０００８】
本発明のより完全な理解のために、添付の図面と併せて検討される実施形態の以下の詳細な記載が参照される。
【図面の簡単な説明】
【０００９】
【図１】本発明の実施形態によって構築された飲料容器の斜視図である。
【図２】飲料容器の内部を示す、飲料容器の断面での図1の描写である。
【図３】図1に示されている飲料容器で使用される蓋の実施形態の上方から斜視図である。
【図４】図3に示された蓋の側方からの立面での分解図である。
【図５】図3に示された蓋の下方からの斜視図である。
【図６】図1に示されている飲料容器で使用される蓋の別の実施形態の上方からの斜視図である。
【図７】図6に示された蓋の下方からの斜視図である。
【図８】図6に示された蓋の側方からの立面での分解図である。
【発明を実施するための形態】
【００１０】
以下の開示は、本発明の大まかな原理の例示を提供するために提示されており、本明細書に含まれる発明の概念をどんな形でも限定するようには意図されていない。さらに、本節において記載されている具体的な特徴は、本明細書に含まれる多数の可及的な置き換えおよび組み合わせの各々において、他の記載されている特徴との組み合わせで用いられてもよい。
【００１１】
本明細書で定義されているすべての用語は、本明細書の解釈によって決定される言外の意味と、当業者、および/または辞書、論文、もしくは同様の情報源が具体的な意味を指定する言葉とを含め、それらの最も広い可及的な解釈で与えられるべきである。さらに、本明細書と、本明細書に添付される特許請求の範囲とにおいて列挙されているように、単数形の「1つ」および「その」は、他に述べられていない場合、複数の指示対象を含むことは、留意されるべきである。また、「備える」および「備えている」という用語は、本明細書で使用されるとき、特定の特徴がその実施形態に存在していることを明示しているが、追加の特徴、構成要素、動作、および/またはそれらの群の存在または追加を除外するように解釈されるべきではない。
【００１２】
以下の開示は、本発明の全体の書かれた記載の一部と見なされることになる添付の図面との関連で読まれるように意図されている。図は必ずしも一定の縮尺ではなく、本発明の特定の特徴が、縮尺において、または、明確性および簡潔性のためにいくらか概略的な形態で、誇張されて示されている可能性がある。ここでの記載において、「水平」、「鉛直」、「上方」、「下方」、「上」、「下」、および、それらの派生語(例えば、「水平方向に」、「下向きに」、「上向きに」など)などの相対的な用語は、記載されているような方向付け、または、検討されている図において示されているような方向付けに言及していると解釈されるべきである。これらの相対的な用語は、記載の利便性のためであり、通常、特定の方向付けを必要とするように意図されていない。「内向き」対「外向き」、「縦」対「横」などを含む用語は、互いに対して、伸長の軸に対して、または、回転の軸もしくは中心に対して、必要に応じて解釈されるものである。「連結」および「相互連結」といった付着、結合などに関する用語は、他に明示的に記載されていない場合、構造同士が、直接的に、または、介在する構造を介して間接的に、互いに固定または付着される関係に言及しており、移動可能または固定での付着または関係の両方に言及しており、「直接的に」結合、固定されるなどの用語を含む。「動作可能に結合される」という用語は、関連する構造を、その関係のおかげで意図されているように動作させるこのような取り付け、結合、または連結である。
【００１３】
ここで図1および図2を見ると、本発明の一実施形態によって構築された飲料容器10が提供されている。飲料容器10は、下方ベッセル基部14と、下方ベッセル基部14の上方部分に形成された下方ベッセル首部16とを有する下方ベッセル12を備える。下方ベッセル首部16は、液体を下方ベッセル12に入らせて下方ベッセル基部14で落ち着かせるために、下方ベッセル12に下方ベッセル開口20を定める環状隆条部18を備える。一実施形態では、下方ベッセル12は瓶の形を有する。
【００１４】
下方ベッセル首部16に付着されるのは、下端24と、上端26と、外壁面28と、内壁面30とを有する中空の円筒形の上方ベッセル22であり、下端24は、内壁面30からリップ縁34へと径方向内向きに延びる環状の封止リップ32を備える。封止リップ32は下方リップ面36と上方リップ面38とを有し、下方リップ面36は下端24の方向を向き、上方リップ面38は上端26の方向を向く。上方ベッセル22の下端24は、上方ベッセル22が下方ベッセル12に留め付けられるとき、下方ベッセル首部16の環状隆条部18が封止リップ32の下方リップ面36に当接し、下方ベッセル12の環状隆条部18と上方ベッセル22の封止リップ32との間に液密シールを作り出すように、下方ベッセル首部16に取り外し可能に留め付くように大きさおよび形が決定されている。上方ベッセル22の上端26は、取り外し可能な蓋40と相互係止するように大きさおよび形が決定されており、取り外し可能な蓋40の機能は後でさらに検討される。
【００１５】
上方ベッセル22は、上方ベッセル22の中心軸から上方ベッセル22の内壁面30へと径方向に延びる取り外し可能なベッセルシール42をさらに備える。ベッセルシール42は、ベッセルシール42と封止リップ32との間の液密シールを作り出すために接着剤によって封止リップ32の上方リップ面38に付着させられる。ベッセルシール42は、上方ベッセル22が下方ベッセル12に留め付けられるとき、上方ベッセル22の内側を占める液体が下方ベッセル12の内側に移ることができないように、上方ベッセル22と下方ベッセル12との間に分離の液密障壁を作り出す。ベッセルシールは、半月形または棒付きキャンディの形を含む技術的に知られている様々な形を有することができ、封止リップ32へのシール42の付着は、伝導封止、誘導封止、および超音波封止を含む技術的に知られている様々な過程によって達成できる。すべてのこのような形および機構は本発明の範囲内と考えられる。
【００１６】
ベッセルシール42は、テザー44によって取り外し可能な蓋40に連結されている。テザー44は、蓋40によって引っ張られるとき、ベッセルシール42を封止リップ32から取り外し、それによって、上方ベッセル22の内側の液体内容物を、下方ベッセル開口20を通じて下方ベッセル12へと進ませるように構成されている。一実施形態では、テザー44は、ベッセルシール42の周辺における一点からベッセルシール42の周辺において他の点まで、ベッセルシール42の線分にわたって延びる下端46と、取り外し可能な蓋40のより小さい平行な線分にわたって延びる上端48とを伴う平坦で柔軟な材料の部品である。
【００１７】
飲料容器10は閉位置と使用位置とを有する。本出願では、飲料容器10の「閉位置」は、ベッセルシール42が上方ベッセル22の内壁面30に固定され、それによって上方ベッセル22の内部容積と下方ベッセル12の内部容積との間に障壁を作り出し、これが一方のベッセルにおける物質が他方のベッセルに入るのを防止する状態を言っている。対照的に、飲料容器10の「使用位置」は、ベッセルシール42によって提供される障壁が取り外され、それによって上方ベッセル22および下方ベッセル12に含まれる物質を一方から他方へと進ませる状態を言っている。一実施形態では、飲料容器10を閉位置から使用位置へと移行させることは、取り外し可能な蓋40を上方ベッセル22の上端26から取り外すことを伴い、それによって、テザー44に引っ張りを作り出し、テザーにベッセルシール42を封止リップ32から離すように引っ張らせる。蓋40を上方ベッセル22から分離することなく飲料容器10を閉位置から使用位置へと移行させる他の実施形態が、後で説明されている。
【００１８】
一実施形態では、飲料容器10は、取り外し可能な蓋40を上方ベッセル22の上端26の周りで回すかまたは捩じることで、閉位置から使用位置へと移動させられる。そのようにすることは、テザー44をそれ自体の周りで捩じらせ、テザー44における引っ張りを増加させ、テザー44の下端46にベッセルシール42の外側縁を内向きに引っ張らせる。これによって、テザー44がベッセルシール42を封止リップ32から離すように引っ張ることとなり、それによって、下方ベッセル12と上方ベッセル22との間の障壁を取り外し、上方ベッセル22の内容物を下方ベッセル12へと放出する。蓋40は、この時間の間、上方ベッセル22の上端26に付着されたままとできる。
【００１９】
テザー44は、いくつかの異なる方法で取り外し可能な蓋40に付着させることができる。図3〜図5は、テザー44を取り外し可能な蓋140に付着させるための二部品締め付けシステムを有する取り外し可能な蓋140の一実施形態を示している。テザー44を取り外し可能な蓋140に付着させるために、テザー44の上端48が蓋スロット150に通され、2つの締め付け面152a、152bの間で定められ、締め付け面152a、152bは、相互作用し、テザー44の上端48の周りに摩擦嵌めを作り出す。そのため、相互作用する締め付け面152a、152bは、蓋スロット150に近接する取り外し可能な蓋140の上方面に形成された締め付け凹部154に嵌め込まれる。締め付け凹部154は、相互作用する締め付け面152a、152bと取り外し可能な蓋140との間に摩擦嵌めを作り出すように大きさおよび形が決定され、それによって、相互作用する締め付け面152a、152bが締め付け凹部154へと挿入されるとき、相互作用する締め付け面152a、152bの間からテザー44が滑り出るのを防止している。一実施形態では、締め付け凹部154は、相互作用する締め付け面152a、152bを締め付け凹部154へと駆り立て、締め付け面152a、152bと締め付け凹部154との間にスナップロック係合を作り出す1つまたは複数の戻り止め(図示せず)も備える。
【００２０】
図6〜図8は、取り外し可能な蓋240の別の実施形態を示している。この実施形態では、テザー44の上端48は、蓋スロット250に通され、楔凹部255の壁に当てて置かれる。次に、楔係止部253が、楔凹部255においてテザー44の上端に当てて挿入され、テザー44を楔係止部253と楔凹部255の壁との間で締め付ける。楔係止部253および楔凹部255は、楔係止部253と楔凹部255との間に摩擦嵌めを作り出し、それによってテザー44が楔係止部253と楔凹部255との間から滑り出すのを防止すように大きさおよび形が決定されている。一実施形態では、楔凹部255は、楔係止部253を楔凹部255へと駆り立て、楔係止部253と楔凹部255との間にスナップロック係合を作り出す1つまたは複数の戻り止め(図示せず)を備える。
【００２１】
テザー44を蓋40に付着する他の実施形態には、テザー44を固定部材(図8に示されている楔係止部253など)の周りで輪にすること、自由端をベッセルシール42に固定すること、および、テザー44を蓋40に突き通してテザー44の上端48と蓋40の突き抜けられた部分との間に摩擦嵌めを作り出すことがある。すべてのこのような付着の実施形態は本発明の範囲内と考えられる。
【００２２】
図1および図2に戻って参照すると、飲料容器10が使用される準備がされるとき、下方ベッセル12の下方ベッセル基部14が受入液体(つまり、上方ベッセル22の内容物を受け入れるための液体)で満たされ、上方ベッセル22は、蓋40とベッセルシール42との間の空間において混ざる液体(つまり、下方ベッセル12の内容物と混ぜられる液体)で満たされ、上方ベッセル22は、先に検討されているように、下方ベッセル12の下方ベッセル首部16に付着させられ、ベッセルシール42のテザー44は蓋40に付着させられる。飲料容器10を使用するために、使用者は、蓋40を持ち上げるか、または、蓋40を上方ベッセル22の上端26の周りで回転させるかのいずれかを行い、これによって、テザー44に、ベッセルシール42を封止リップ32から離すように持ち上げさせ、ベッセルシール42と封止リップ32との間の液密シールを破る。シールが破られると、混ざる液体は、上方ベッセル22から放出され、下方ベッセル基部14へと落下し、次に、混ざる液体は下方ベッセル基部の内部の受入液体と混ぜられる。そのため、使用者は、自身が適当と思う様態で混ざった内容物を使用できる(例えば、混ざった内容物を消費する)。
【００２３】
一実施形態では、上方ベッセル22の下端24は、下方ベッセル12と上方ベッセル22との間に液密シールを作り出すために、下方ベッセルネジ山62を介して下方ベッセル12の下方ベッセル首部16と係合する上方ベッセルネジ山60を有している。上方ベッセルネジ山60および下方ベッセルネジ山62は、上方ベッセルが使用されると、上方ベッセル22を下方ベッセル12から解放させる。これによって、使用者は、望む場合に、下方ベッセル12を新たな上方ベッセル22で再使用することができる。他の実施形態は、上方ベッセルネジ山60および下方ベッセルネジ山62の代わりとして、限定されることはないが、相互係止する戻り止めリップ、実継ぎシステム、および外部締め付けシステムを含む他の付着手段を備えてもよい。代替の実施形態では、上方ベッセル22および下方ベッセル12は単一であってもよく、それによって一回の使用の飲料容器を作り出す。
【００２４】
前述の実施形態が、2つの液体を混ぜるために使用されるとして記載されているが、飲料容器10が、2つの物質が使用のときまで分離されたままとされる物質の他の組み合わせを混ぜるために使用されてもよいことは、留意されるべきである。このようの組み合わせには、限定されることはないが、固体粉末などの溶質が上方ベッセル22に収容される一方で、溶媒が下方ベッセル12に維持される溶媒と溶質との組み合わせ、および、化学反応自体が望まれる場合、または、反応が進行中である間に混ぜられた物質が何かに適用される場合(例えば、接着剤を作って適用する)、混ぜられるときに化学反応を作り出す物質の組み合わせがある。このような異なる種類の組み合わせは、限定されることはないが、個人用ケア製品、薬剤、粘着製剤、栄養補助食品、および園芸を含む様々な用途で使用される。物質および使用のすべてのこのような組み合わせは本発明の範囲内と考えられるべきである。
【００２５】
本明細書で列挙されているすべての例および条件の言葉は、本発明の原理、および、技術を促進させる上での発明者によって寄与される概念を理解するときに読者を助ける教育上の目的のために意図されている。そのため、それらは、このように明確に列記された例および条件に限定されることなく解釈されるものである。さらに、本発明の原理、態様、および実施形態と、本発明の特定の例とを列記する本明細書でのすべての陳述は、本発明の構造的な均等および機能的な均等の両方を網羅するように意図されている。また、このような均等が、現在よく知られている均等と、将来において開発される均等との両方を含み、つまり、構造に拘わらず同じ機能を発揮する開発された任意の要素を含むことが、意図されている。
【００２６】
本明細書で記載された実施形態が単なる例示であることと、当業者が、本発明の精神および範囲から逸脱することなく多くの変化および変形を行え得ることとは、理解されるものである。すべてのこのような変化および変形は、以下の請求項によって定められているような本発明の範囲内に含まれるように意図されている。
【符号の説明】
【００２７】
10  飲料容器
12  下方ベッセル
14  下方ベッセル基部
16  下方ベッセル首部
18  環状隆条部
20  下方ベッセル開口
22  上方ベッセル
24  下端
26  上端
28  外壁面
30  内壁面
32  封止リップ
34  リップ縁
36  下方リップ面
38  上方リップ面
40  取り外し可能な蓋
42  ベッセルシール
44  テザー
46  下端
48  上端
60  上方ベッセルネジ山
62  下方ベッセルネジ山
140  取り外し可能な蓋
150  蓋スロット
152a、152b  締め付け面
154  締め付け凹部
240  蓋
250  蓋スロット
253  楔係止部
255  楔凹部
【図１】
2020511376.tif 000003
【図２】
2020511376.tif 000004
【図３】
2020511376.tif 000005
【図４】
2020511376.tif 000006
【図５】
2020511376.tif 000007
【図６】
2020511376.tif 000008
【図７】
2020511376.tif 000009
【図８】
2020511376.tif 000010
【国際調査報告】
2020511376.tif 000011
2020511376.tif 000012